(57)【特許請求の範囲】
【請求項１】
本体ケース１の内部に、ディスク２が回転自在に収容されており、
本体ケース１の上下壁３・４には、それぞれの略中央部から前側の開放端面５の方向にわたって信号読み書き用の窓孔６が開口されており、
本体ケース１に、窓孔６を開閉するシャッター７が装着されているディスクカートリッジにおいて、
シャッター７が、本体ケース１の上下壁３・４の各外表面３ａ・４ａ上を左右方向に摺動する上下板７ａ・７ｂと、この上下板７ａ・７ｂの一端どうしをつないで前記開放端面５上を摺動する背板７ｃとを有しており、
窓孔６の開放端面５側の上下壁３・４に、各上下壁３・４の外表面３ａ・４ａより低く落ち込む陥没壁部１５・１５が一体に形成されており、
上下壁３・４の各外表面３ａ・４ａと、シャッター７の左右端縁に対応する窓孔６の直線部６ａの内周面および陥没壁部１５の左右両側方に対応する窓孔６の内周面とが交わる角に、外拡がり状の斜面８を形成しているディスクカートリッジ。  
【発明の詳細な説明】
【０００１】
【発明の属する技術分野】
本発明は、光ディスクや光磁気ディスク等の記録媒体であるディスクがハードケース内に回転自在に収容されているディスクカートリッジに関する。
【０００２】
【従来の技術】
この種のディスクカートリッジに特公平４−５９７０３号公報がある。そこでは、ディスクが収容される本体ケースの上下面に、外部からディスクに対して信号の読み書きが行えるように窓孔を設け、この窓孔が摺動式のシャッターにより開閉される。不使用時にシャッターが窓孔を閉じて塵埃や異物がディスクに付着するのを防止し、使用時にディスクドライブに装填するとシャッターがドライブ側の開閉操作部材で開かれ、ヘッドが窓孔に挿入する。
【０００３】
【発明が解決しようとする課題】
上記したディスクカートリッジでは、シャッターが本体ケースの外表面上を摺動するとき、シャッターが本体ケースの外表面との間に形成される隙間（摺動するためのクリアランス）などにより僅かに傾動し、シャッターの先行する側の端縁（エッジ）が窓孔の内周面と本体ケースの外表面とが交わる角に引っ掛かり、その円滑な摺動を妨げる原因になっていた。
【０００４】
そこで本発明の目的は、本体ケースに対しシャッターが常に円滑に開閉摺動できるディスクカートリッジを提供することにある。本発明の目的は、ディスクドライブ側のヘッド挿入のためのシステムのコンパクト化を図れるディスクカートリッジを提供することにある。
【０００５】
【課題を解決するための手段】
本発明のディスクカートリッジは、本体ケース１の内部にディスク２が回転自在に収容され、本体ケース１の上下壁３・４にはそれぞれの略中央部から前側の開放端面５の方向にわたって信号読み書き用の窓孔６が開口されており、本体ケース１に前記窓孔６を開閉するシャッター７が装着されている。
【０００６】
かかるディスクカートリッジにおいて、本発明では、前記シャッター７が、本体ケース１の上下壁３・４の各外表面３ａ・４ａ上を左右方向に摺動する上下板７ａ・７ｂと、この上下板７ａ・７ｂの一端どうしをつないで前記開放端面５上を摺動する背板７ｃとを有するものとする。前記窓孔６の開放端面５側の上下壁３・４に、各上下壁３・４の外表面より低く落ち込む陥没壁部１５・１５を一体に形成する。上下壁３・４の各外表面３ａ・４ａと窓孔６の内周面とが交わる角に外拡がり状の斜面８を形成したものである。
【０００７】
【作用】
上記構成によれば、シャッター７が左右方向に摺動するとき、斜面８は、シャッター７の先行する左端縁または右端縁を滑らかに滑らす働きをするため、シャッター７は窓孔６の内周面と上下壁３・４の各外表面３ａ・４ａとが交わる角に引っ掛かることなく、スムーズに摺動する。斜面８は、本体ケース１の外表面に対するシャッター７の摺動面積および摩擦抵抗を減少し、それだけシャッター７はスムーズに摺動する。
【０００８】
窓孔６の開放端面５側の上下壁３・４に一体形成した陥没壁部１５・１５は、各上下壁３・４の外表面より低く落ち込ませてあるので、陥没壁部１５上にディスクドライブ側の信号読み書き用ヘッドが挿入するためのクリアランスを確保し得てディスクドライブ側のコンパクト化を実現できる。
【０００９】
【発明の実施の形態】
図において、ディスクカートリッジは、薄型四角形状の本体ケース１の内部に、上下両面に映像・音声・情報等の信号が記録される光ディスク等のディスク２を回転自在に収容する。本体ケース１はプラスチック製の上ケース１ａと下ケース１ｂとを突き合わせて一体的に結合してなる。上ケース１ａの上壁３および下ケース１ｂの下壁４には、それぞれの略中央部から前側の開放端面５に向けて信号読み書き用の窓孔６を開口し、この窓孔６が左右方向に摺動するシャッター７で開閉自在に塞がれている。このディスクカートリッジはこれ全体のコンパクト化を図るために、図示例のように本体ケース１の左右幅寸法とディスク２の直径寸法とが可及的に接近して設定され、窓孔６の左右開口幅およびシャッター７の左右幅寸法が本体ケース１の左右幅寸法のほぼ１／３近くにまで大きく設定され、シャッター７はこれの前後方向寸法を左右幅寸法よりも大きく設定される。
【００１０】
図２および図７において、上ケース１ａは上壁３とこれの左右端に直角に連設した左右の側壁１２・１２とからなり、上壁３の略中央部から前端の左右方向中央部にわたって前記窓孔６が形成される。その際、図１に示すごとく上壁３の外表面３ａと窓孔６の内周面とが交わる角にはこの角を削り取る形の外拡がり状の斜面８を形成する。この斜面８はシャッター７が左右方向に摺動するときその左右端縁が引っ掛かって摺動の妨げになるのを避けるためのものであるから、必ずしも窓孔６の内周全体に設ける必要はない。図２に例示するごとき窓孔６がふたつの直線部６ａ・６ａとこの直線部６ａ・６ａどうしを結ぶ円弧部６ｂからなるＵ形状に形成されている場合、シャッター７の左右端縁に対応するその直線部６ａには斜面８を設ける必要があるが、円弧部６ｂには必ずしも設ける必要はない。上壁３の内面には、図６に示すごとくディスク２が前方へ遊動するのを規制するための位置規制リブ１４がディスク２の円周に沿う円弧状に一体に突設されている。
【００１１】
図４および図７に示すように、上ケース１ａの窓孔６の前方に対応する上壁３には、ディスクドライブ側の信号読み書き用ヘッドが窓孔６に挿入するときのクリアランスを確保するために上壁３の外表面３ａより低く落ち込む陥没壁部１５が一体に形成される。尤も、この陥没壁部１５の左右両側方に対応する窓孔６の内周面と上壁３の外表面とが交わる角にも、前記と同様な斜面８が形成される。陥没壁部１５にはシャッター７を左右方向に案内するための案内溝１６が左右方向全長にわたって形成され、その案内溝１６より後方部位には平坦な形状の接合凸部１５ｂが形成されている。図２および図３に示すごとく上壁３の窓孔６の後端より更に後方に対応する部位には、シャッター７の後端側を左右方向に摺動案内するための凹溝９が左右方向にわたって形成されており、この凹溝９上に細幅の押え板１０が後述するように取り付けられている。図５および図６に示すように、上壁３の内面の前端には断面角形の案内レール１７が、前記陥没壁部１５の案内溝１６より前方部位１５ａの左右両側方に一体に連続して形成されている。
【００１２】
下ケース１ｂは上ケース１ａと対称に形成されていて、図３および図４に示すごとく上ケース１ａの窓孔６に正対する窓孔６と、下壁４の外表面４ａより低く落ち込むよう形成されて上ケース１ａの陥没壁部１５の下面側に重合する陥没壁部１５と、上ケース１ａの案内レール１７に正対する案内レール１７と、上ケース１ａ側の位置規制リブ１４の下端に突き合わされる位置規制リブ１４とを有する。図１に示すように、この下ケース１ｂの窓孔６の内周面と下壁４の外表面４ａとが交わる角にも、上ケース１ａの窓孔６の場合と同様な斜面８を形成する。また、図３に示すごとく下壁４の窓孔６の後端より更に後方に対応する部位にも、上壁３の場合と同様な凹溝９および押え板１０を設ける。これら上下ケース１ａ・１ｂを突き合わせると、図４および図５に示すように両ケース１ａ・１ｂの陥没壁部１５・１５の接合凸部１５ｂ・１５ｂどうしが重合することにより、陥没壁部１５・１５の案内溝１６より前方部位１５ａ・１５ａ間に空隙Ｓ１が、案内レール１７・１７間に空隙Ｓ２が互いに連通状に形成される。
【００１３】
図２および図３においてシャッター７は金属板またはプラスチック材で断面コ字形状に形成してあり、上下壁３・４の各窓孔６を塞ぐように前後方向に長く左右方向に短い矩形状の上下板７ａ・７ｂと、これら上下板７ａ・７ｂの前端どうしをつなぐ背板７ｃとを有する。背板７ｃの外面側に凸部７ｆを形成し、背板７ｃの内面からは左右一対の抜止め片１３を突設し、この左右の抜止め片１３の先端に互いに上下逆向きの逆止爪１３ａ・１３ａを設ける。上下板７ａ・７ｂの各後端には屈曲後端部７ｄ・７ｅが、上下板７ａ・７ｂの上下対向間隔よりも狭い上下間隔をおいて上下に対向するよう屈曲状に形成される。シャッター７は、上下板７ａ・７ｂを上下壁３・４の各外表面３ａ・４ａ上に摺動クリアランスｃを介して重合するとともに、抜止め片１３の逆止爪１３ａが陥没壁部１５・１５間の空隙Ｓ１内に差し込まれるように、本体ケース１の前側の開放端面５にこれの前側方から押し込み嵌合する。これにより抜止め片１３の逆止爪１３ａが陥没壁部１５の案内溝１６に係合し（図４参照）、図３に示すごとく上側の屈曲後端部７ｄが上壁３の凹溝９に、下側の屈曲後端部７ｅが下壁４の凹溝９にそれぞれはめ込まれる。次いで、上下壁３・４に対し上下の押え板１０・１０が屈曲後端部７ｄ・７ｅをそれぞれ覆うように軽く押さえる状態に取り付けられる。以てシャッター７が本体ケースから前方へ抜け出ない状態となる。
【００１４】
図６および図７に示すように、シャッター７を閉じ位置に移動付勢するばね部材２０としては、左右２個のねじりコイルばねを採用し、また左右２個のスライダー２１を備えている。スライダー２１は工形に形成されていて、上下の案内レール１７・１７間の空隙Ｓ２内を摺動するウェブ２１ａと、上下の案内レール１７・１７の内外面を摺動する内外フランジ２１ｂ・２１ｃとを有し、内フランジ２１ｂの外端面にばね掛け溝２４を設けてある。
【００１５】
左右の各ばね部材２０は、これの一方の腕部２０ａの先端を下壁４の内面における位置規制リブ１４より前方部位に突設した左右のピン２５にそれぞれ掛け止め、他方の腕部２０ｂの先端をスライダー２１のばね掛け溝２４に挿入係合する。これで左右の各スライダー２１はばね部材２０のばね作用で案内レール１７上を中央の陥没壁部１５の方向へ移動付勢されて、外フランジ２１ｃの内端面がシャッター７の背板７ｃの左右端面に当接するか、またはウェブ２１ａないしは内フランジ２１ｂの内端面が抜止め片１３の外端面に当接することにより、シャッター７は窓孔６を塞ぐ中央の閉じ位置に保持される。
【００１６】
このようにシャッター７を取り付けたディスクカートリッジはディスクドライブに装填すると、該ドライブ側の開閉操作部材（図示せず）がシャッター７の凸部７ｆに係合し、この係合作用によりシャッター７が窓孔６を塞ぐ中央の閉じ位置から左側壁１２または右側壁１２に近接する位置にまで案内レール１７に沿ってばね部材２０の力に抗して上下壁３・４の各外表面３ａ・４ａ上を摺動し、以て窓孔６が全開する。シャッター７に加えた押す力が解除されると、このシャッター７はばね部材２０の付勢力をスライダー２１を介して受けることで元の中央の閉じ位置に自動的に復帰移動して停止する。このシャッター７の左右方向の開閉摺動に際し、窓孔６の口縁には斜面８を形成してあるので、シャッター７が本体ケース１の外表面３ａ・４ａとの摺動クリアランスｃにより少々傾動するようなことがあっても、シャッター７の上下板７ａ・７ｂの左右端縁が窓孔６の孔縁に引っ掛かるようなことがなくて常に円滑に開閉する。
【００１７】
【発明の効果】
本発明によれば、本体ケース１の窓孔６の内周面と上下壁３・４の各外表面３ａ・４ａとが交わる角に、外拡がり状の斜面８を形成した。従って、シャッター７は窓孔６の孔縁に引っ掛かるようなことなく、常に上下壁３・４の外表面３ａ・４ａ上を左右方向に円滑に摺動し、窓孔６の開閉動作をスムーズに行うことができる。窓孔６の開放端面５側の上下壁３・４に陥没壁部１５を設けてあるので、当該陥没壁部１５の上にディスクドライブ側の信号読み書き用ヘッドが挿入するためのクリアランスを確保することができてディスクドライブ側のコンパクト化を図れる。
【図面の簡単な説明】
【図１】図２におけるＣ−Ｃ線拡大断面図である。
【図２】ディスクカートリッジ全体の平面図である。
【図３】図２におけるＡ−Ａ線拡大断面図である。
【図４】図２におけるＢ−Ｂ線拡大断面図である。
【図５】シャッターと案内レールとの関係を示す断面図である。
【図６】ディスクカートリッジの前端部の内部平面図である。
【図７】ディスクカートリッジの前端部をシャッターを外した状態で示す斜視図である。
【符号の説明】
１  本体ケース
２  ディスク
３  上壁
４  下壁
５  開放端面
６  窓孔
７  シャッター
７ａ  シャッターの上板
７ｂ  シャッターの下板
７ｃ  シャッターの背板
８  斜面
【図１】
0003621195.tif 000002
【図２】
0003621195.tif 000003
【図３】
0003621195.tif 000004
【図４】
0003621195.tif 000005
【図５】
0003621195.tif 000006
【図６】
0003621195.tif 000007
【図７】
0003621195.tif 000008